(57)【要約】【課題】簡易な手段でシールド体を位置決めして配線基板の端部に取付けることができ、ネジ止めしてもシールド体に捻じれや傾きを生じない、シールド体の取付構造を提供する。【解決手段】電子部品２を覆うシールド体３のコ字形係合片３ｅを配線基板１と直交させた状態で配線基板１の端面の切欠部１ｂに係合させてシールド体を位置決めし、シールド体３の切倒し片３ｆを配線基板１に係止してシールド体３の取付片３ｄを配線基板近傍のグランド電位の板金部材４に固定し、シールド体３の前側板３ａをネジ５ｂで電子部品２に固定した取付構造とする。コ字形係合片３ｅと切欠部１ｂの係合で簡単に位置決めでき、シールド体の前側板３ａをネジ５ｂで電子部品２に固定するとき、切倒し片３ｆでシールド体３の捻じれや傾きを防止する。【選択図】図２
2010074012.tif 000002
【特許請求の範囲】
【請求項１】
配線基板の端部に、電子部品を覆うシールド体を取付ける構造であって、配線基板の端面に位置決め用の切欠部を形成する一方、シールド体に位置決め用のコ字形係合片を形成し、シールド体を配線基板の端部に載置して配線基板上の電子部品を覆うと共に、コ字形係合片を配線基板と直交させた状態で上記切欠部に係合させてシールド体を位置決めし、シールド体の取付片を配線基板近傍のグランド電位の板金部材に固定したことを特徴とするシールド体の取付構造。
【請求項２】
上記配線基板の端面と平行なシールド体の側板の向かって左側に上記コ字形係合片を形成する一方、上記側板の向かって右側に後方へ倒れる切倒し片を形成し、この切倒し片を配線基板に係止させると共に、上記側板をシールド体で覆われた電子部品にネジで固定したことを特徴とする請求項１に記載のシールド体の取付構造。
【請求項３】
上記コ字形係合片の凹部の入口部分を先拡がり形状にしたことを特徴とする請求項１又は請求項２に記載のシールド体の取付構造。
【請求項４】
シールド体がチューナを覆うものである請求項１ないし請求項３のいずれかに記載のシールド体の取付構造。
【発明の詳細な説明】
【技術分野】
【０００１】
本発明はシールド体の取付構造に関し、特に、配線基板の端部にシールド体を位置決めして捻じれや傾き等が生じないように取付けることができる構造に関する。
【背景技術】
【０００２】
従来からシールド体の種々の取付構造が提案されている。その一つとして、一角に矩形状の切欠き部を有する基板にシールドケースを取付けるに当たり、その一側壁の一部に他の側壁よりも長い突出壁を形成し、この突出壁の一側辺及びその内面を、基板の切欠き部の二つの切欠き片にそれぞれ当接させ、基板面上の直交する二方向におけるシールドケースの位置出しを行うようにした取付構造がある（特許文献１）。
【０００３】
また、回路基板におけるシールド対象部分を覆いグランドに接地されてシールド対象部分をシールドするシールドカバーを有するシールド構造において、回路基板に、複数のブロック上のベース部材をシールド対象部分を囲む配置形態で固定し、シールドカバーの周壁部に形成した切欠き部を上記ベース部材に嵌め込んで圧入装着するようにした取付構造もある（特許文献２）。
【特許文献１】特開平６−２２４５７９号公報
【特許文献２】特開２００７−１１６１０４号公報
【発明の開示】
【発明が解決しようとする課題】
【０００４】
特許文献１の取付構造は、基板の一角に矩形状の切欠き部があればシールドケースの位置決めを簡単に行えるが、そのような矩形状の切欠き部が一角に存在しない配線基板の端部にシールドケースを位置決めして取付けることはできない。  
【０００５】
また、特許文献２の取付構造は、回路基板の中央部にシールドカバーを取付ける場合には好都合であるが、回路基板の端部にシールドカバーを取付ける場合には不向きであり、しかも、多数のベース部材を多数の切欠き部を設けて圧入する必要があるため、構造が複雑で取付作業が面倒である。
【０００６】
ところで、配線基板の端部に搭載されたチューナ等を覆うシールド体を取付ける場合、シールド体の側板をチューナのケースにネジ止めすることがあるが、このように側板をネジ止めすると、ネジを締付けるときにシールド体がネジの回転方向に捻じれや傾きを生じる心配があるので、これを防止することが望まれている。
【０００７】
本発明は上記事情の下になされたもので、その解決しようとする課題は、引用文献１，２とは異なる簡易な手段でシールド体を位置決めして配線基板の端部に取付けることができ、シールド体の側板をチューナ等の電子部品のケースにネジ止めしてもシールド体に捻じれや傾きを生じる心配がない、シールド体の取付構造を提供することにある。
【課題を解決するための手段】
【０００８】
上記課題を解決するため、本発明に係るシールド体の取付構造は、配線基板の端部に、電子部品を覆うシールド体を取付ける構造であって、配線基板の端面に位置決め用の切欠部を形成する一方、シールド体に位置決め用のコ字形係合片を形成し、シールド体を配線基板の端部に載置して配線基板上の電子部品を覆うと共に、コ字形係合片を配線基板と直交させた状態で上記切欠部に係合させてシールド体を位置決めし、シールド体の取付片を配線基板近傍のグランド電位の板金部材に固定したことを特徴とするものである。
【０００９】
本発明のシールド体の取付構造においては、上記配線基板の端面と平行なシールド体の側板の向かって左側に上記コ字形係合片を形成する一方、上記側板の向かって右側に後方へ倒れる切倒し片を形成し、この切倒し片を配線基板に係止させると共に、上記側板をシールド体で覆われた電子部品にネジで固定することが好ましい。
【００１０】
また、コ字形係合片の凹部の入口部分を先拡がり形状にすることも好ましい。  
【００１１】
本発明の取付構造は、電子部品を覆う全てのシールド体に適用されるが、その代表例はチューナを覆うシールド体である。
【発明の効果】
【００１２】
本発明に係るシールド体の取付構造は、シールド体のコ字形係合片を配線基板と直交させて配線基板の切欠部に係合させるだけでシールド体を正確に位置決めできるので、シールド体の位置決め作業が極く簡単であり、位置決めの構造自体もシンプルである。そして、シールド体の取付片をグランド電位の板金部材に固定しているので、電子部品を確実にシールドすることができる。
【００１３】
また、本発明の取付構造において、配線基板の端面と平行なシールド体の側板の向かって左側に上記コ字形係合片を形成する一方、上記側板の向かって右側に後方へ倒れる切倒し片を形成し、この切倒し片を配線基板に係止させると共に、上記側板をシールド体で覆われた電子部品にネジで固定したものは、シールド体の上記側板をネジで締付けるときに、シールド体にネジの回転方向つまり右回り方向の力が作用しても、上記側板の右側に形成された切倒し片が配線基板に係止してシールド体の右回り方向の回転を阻止するため、シールド体に捻じれや傾きが生じる心配を解消することができる。
【００１４】
また、本発明の取付構造において、コ字形係合片の凹部の入口部分を先拡がり形状にしたものは、コ字形係合片と切欠部との係合作業をスムーズに行うことができるので、位置決めが更に容易になる。
【発明を実施するための最良の形態】
【００１５】
以下、図面を参照して本発明の具体的な実施形態を詳述する。
【００１６】
図１は本発明の一実施形態に係るシールド体の取付構造の分解斜視図、図２は同シールド体の取付構造の斜視図、図３は同シールド体の部分側面図である。
【００１７】
この実施形態の取付構造は、液晶テレビの配線基板１の端部に搭載されたチューナ２を覆うシールド体３を、配線基板１の端部に取付ける場合を例示したものである。
【００１８】
配線基板１は板金製の支持部材４に載置され、配線基板１のコーナー部においてネジ５ａで支持部材４に固定されている。この板金製の支持部材４は、液晶テレビの液晶モジュールのリアフレーム（不図示）に取付けられてグランド電位となっている。配線基板１の端面１ａには、後述するコ字形係合部３ｅと係合する位置決め用の小さな切込溝形状の切欠部１ｂが、チューナ２の向かって左側に形成されている。尚、図示はしていないが、この切欠部１ｂは、コ字形係合部の３ｅの凹部３ｇと同様に、入口部分を先拡がりの形状にして係合し易くすることが好ましい。
【００１９】
シールド体３は、板金を打抜き、曲げ加工することによって、チューナ２を覆うことができる大きさを備えた略直方体形状のシールド体とされたものであり、配線基板１の端面１ａと平行なシールド体３の側板３ａ（前側板）の上部には、チューナ２のノブ２ａを突出させる円形開口３ｂが形成されている。そして、シールド体３の前側板３ａの下部には、前側板３ａより横長の段部３ｃが形成されており、この段部３ｃの下端からシールド体の水平な取付片３ｄが前方へ突き出している。
【００２０】
前側板３ａの下部に形成された段部３ｃの左右両側には、コ字形係合片３ｅと切倒し片３ｆが形成されている。即ち、コ字形係合片３ｅは、段部３ｃの向かって左側端部から後方に折り曲げて形成されており、切倒し片３ｆは、前側板３ａの向かって右側下部を後方へ直角に切り倒すことによって、段部３ｃの向かって右側端部に形成されている。そして、コ字形係合部３ｅの凹部３ｇの入口部分は、図３に示すように先拡がり形状に形成されており、配線基板１の切欠部１ｂに対するコ字形係合部３ｅの係合作業をスムーズに行うことができるようになっている。
【００２１】
尚、図１，図２において、６ａ，６ｂはそれぞれシールド体３の前側板３ａと取付片３ｄに形成されたネジ挿通孔であり、７ａ，７ｂはそれぞれチューナ２と支持部材４に形成されたネジ孔であり、３ｈはシールド体３を水平に取付けるためにシールド体３の左側板３ｉの下端に設けられた脚片であり、３ｊはシールド性能を高めるために前側板３ａの左側端縁を後方へ折り曲げて左側板３ｉと前側板３ａとの隙間を覆うようにした被覆縁であり、５ｂはシールド体３の前側板３ａをチューナ２に固定するネジであり、５ｃはシールド体３の取付片３ｄを支持部材４に固定するネジである。
【００２２】
このシールド体３の取付構造は、配線基板１の端部にシールド体３を載置し、チューナ２のノブ２ａをシールド体３の前側板３ａの円形開口３ｂから突出させた状態でチューナ２を覆い、シールド体３のコ字形係合片３ｅを配線基板１と直交させた状態で配線基板１の切欠部１ｂに係合させてシールド体３を位置決めすると共に、シールド体３の切倒し片３ｆを配線基板１に係止させ、シールド体３の取付片３ｄと前側板３ａをネジ５ｃ，５ｂでグランド電位の板金製支持部材４とチューナ２に固定したものである。
【００２３】
このような取付構造であると、シールド体３のコ字形係合片３ｅを配線基板１と直交させて配線基板１の切欠部１ｂに係合させるだけでシールド体３を正確に位置決めできるので、シールド体３の位置決め作業が極く簡単となり、位置決めの構造自体もシンプルであるので加工し易くなる。そして、シールド体３の取付片３ｄをグランド電位の板金製支持部材４にネジ５ｃで固定しているので、チューナ２を確実にシールドすることができる。
【００２４】
しかも、この取付構造では、前側板３ａの段部３ｃの向かって右側に形成された切倒し片３ｆを配線基板１に係止させているので、シールド体３の前側板３ａをネジ５ｂで締付けるときに、シールド体３にネジ５ｂの回転方向（右回り方向）の力が作用しても、切倒し片３ｆによってシールド体３の右回り方向の回転が阻止されるため、シールド体３に捻じれや傾きが生じる心配を解消することができる。
【００２５】
以上、チューナ２を覆うシールド体３を配線基板１の端部に取付ける場合を例にとって本発明のシールド体の取付構造を説明したが、チューナ以外のシールドが必要な電子部品を覆うシールド体を配線基板の端部に取付ける場合も同様に適用されるものである。
【図面の簡単な説明】
【００２６】
【図１】本発明の一実施形態に係るシールド体の取付構造を示す分解斜視図である。
【図２】同シールド体の取付構造の斜視図である。
【図３】同シールド体の部分側面図である。
【符号の説明】
【００２７】
１    配線基板
１ａ  配線基板の端面
１ｂ  切欠部
２    チューナ（電子部品）
３    シールド体
３ａ  前側板（側板）
３ｃ  段部
３ｄ  取付片
３ｅ  コ字形係合片
３ｆ  切倒し片
３ｇ  コ字形係合片の凹部
４    板金製の支持部材（板金部材）
５ａ，５ｂ，５ｃ  ネジ
【図１】
2010074012.tif 000003
【図２】
2010074012.tif 000004
【図３】
2010074012.tif 000005